(57)【要約】【課題】浴槽内に沈めて使用する半身浴用椅子において、重りを組み込むことなく椅子が浴槽の底部に密着することにより浮き上がらないようにし、かつ、カビが生じたり、乾燥によるひび割れ等の劣化を起こすことがなく、衛生的であり、管理も非常に容易で、座り心地と質感を向上させた半身浴用の椅子を提供する。【解決手段】四方を囲む側壁４ａ，４ｂを陶磁器で一体に成形してなる座台部２の上面に、耐水性を有する部材で形成した座部３を固設する。更に、前記座部３の表面が、プラスチック製人工い草で形成した畳表１３で形成されている。前記座台部の４隅の下端に、弾性材からなる滑り止め部材１０を装着し、該滑り止め部材１０の外側面と前記座部３の側端面を座台部２の外面より外側へ突出させる。【選択図】図１
2008212530.tif 000002
【特許請求の範囲】
【請求項１】
四方を囲む側壁を陶磁器で一体に成形してなる座台部の上面に座部を固設したことを特徴とする半身浴用椅子。
【請求項２】
前記座部を耐水性を有する部材で形成したことを特徴とする請求項１記載の半身浴用椅子。
【請求項３】
前記座部が、陶磁器又はプラスチック又は耐水処理をした木材で形成されていることを特徴とする請求項１又は２記載の半身浴用椅子。
【請求項４】
前記座部の表面が、プラスチック製人工い草で形成した畳表で形成されていることを特徴とする請求項１又は２記載の半身浴用椅子。
【請求項５】
前記座台部の上端部に指が入る程度に上下幅を有する空気抜き孔を設けたことを特徴とする請求項１乃至４のいずれか１項に記載の半身浴用椅子。
【請求項６】
前記座台部の４隅の下端に、弾性材からなる滑り止め部材を装着し、該滑り止め部材の外側面と前記座部の側端面を座台部の外面より外側へ突出させたことを特徴とする請求項１乃至５のいずれか１項に記載の半身浴用椅子。
【発明の詳細な説明】
【技術分野】
【０００１】
本発明は半身浴用椅子に関する。
【背景技術】
【０００２】
近年の健康志向の中で、家庭で行える身近な健康法として半身浴が注目されている。
この半身浴は、血液の循環をよくし、体内の老廃物を汗と共に排出して発汗活動を活発にし、疲れを癒すことから、高齢者や、高血圧、あるいは冷え性の女性などにも好適な健康法として注目を浴びている。
【０００３】
半身浴は、身体の、みぞおちあたりまでお湯につかり、長時間かけてお湯につかることから、リラックスした姿勢がとれるように浴槽内で座るための半身浴用の椅子が用いられている。
【０００４】
このような半身浴用椅子として、例えば、図８に示すように、木製の脚２１と座部２２と、両脚２１，２１間に架設したコンクリートを詰めたステンレス製の重り部材２３で形成した椅子２４が提案されている（特許文献１参照）。
【特許文献１】特開２００２−１４５５９０号公報
【発明の開示】
【発明が解決しようとする課題】
【０００５】
ところで、半身浴用椅子として、木材のみで形成すると、その木材の浮力によって椅子が浮き上がる。そのため、これを防止する手段として前記のように、ステンレス製の重り部材を設けている。しかし、このような重りを設けても完全に底部と密着することがなく浴槽内で少しでも行動すると、そのお湯に流されて浮く不都合がある。更に、木材部にカビが生じたりして、不衛生などの問題もあり、管理をするのに労力を要する。
【０００６】
そこで本発明は、前記の問題点を解消する半身浴用椅子を提供することを目的とする。
【課題を解決するための手段】
【０００７】
前記の課題を解決するために、本願の請求項１記載の発明は、四方を囲む側壁を陶磁器で一体に成形してなる座台部の上面に座部を固設したことを特徴とするものである。
【０００８】
請求項２記載の発明は、請求項１記載の発明において、前記座部を耐水性を有する部材で形成したことを特徴とするものである。
【０００９】
請求項３記載の発明は、請求項１又は２記載の発明において、前記座部が、陶磁器又はプラスチック又は耐水処理をした木材で形成されていることを特徴とするものである。
【００１０】
請求項４記載の発明は、請求項１又は２記載の発明において、前記座部の表面が、プラスチック製人工い草で形成した畳表で形成されていることを特徴とするものである。
【００１１】
請求項５記載の発明は、請求項１乃至４のいずれか１項に記載の発明において、前記座台部の上端部に指が入る程度に上下幅を有する空気抜き孔を設けたことを特徴とするものである。
【００１２】
請求項６記載の発明は、請求項１乃至５のいずれか１項に記載の発明において、前記座台部の４隅の下端に、弾性材からなる滑り止め部材を装着し、該滑り止め部材の外側面と前記座部の側端面を座台部の外面より外側へ突出させたことを特徴とするものである。
【発明の効果】
【００１３】
請求項１記載の発明によれば、座台部を比重が大きい陶磁器で形成したことにより、従来のような重り部材を付設することなく、湯中に沈ませることができ、従来のような重り部材を付設するものと比べて製造が容易になる。
【００１４】
請求項２及び３記載の発明によれば、座台部は陶磁器で、座部は耐水性を有する部材で形成されていることから、本体が木材を主体としたものに比べて湯中に長時間浸したり、乾燥させたりしても劣化が少ない。また、座台部は陶磁器であることから洗浄も容易で非常に衛生的である。
【００１５】
更に、請求項４記載の発明によれば、座部を畳様に形成したので、和風的な興趣が高く、座面の感触が良好となる。また、その畳表をプラスチック製の人工い草による畳で構成したことから耐水性が高く、耐久性を高めることができる。
【００１６】
請求項５記載の発明によれば、内部空間に溜まった空気を座台部の外部へ排出すると共に、この空気抜き孔に指を挿入することによって把手部となり、半身浴用椅子を持ち運びし易くすることができる。そのため、洗い場にて使用することも容易である。
【００１７】
請求項６記載の発明によれば、座台部の脚部の下面に弾性材からなる滑り止め部材を装着したので、該半身浴用椅子が浴槽内で滑ったりすることがなく、より安定した状態で使用することができる。
【００１８】
更に、座部の側端面と滑り止め部材の外側面を結ぶ線より内側に座台部が位置するため、落下や移動等による衝撃から座台部を保護し破損することを防止できる。
【発明を実施するための最良の形態】
【００１９】
本発明を実施するための最良の形態を図１乃至図７に示す実施例に基づいて説明する。
【実施例１】
【００２０】
図１乃至図７は本実施例１の半身浴用椅子を示す。
図１に示すように、半身浴用椅子１は、座台部２と座部３と滑り止め部材１０とから構成されている。
【００２１】
座台部２は、図１乃至図５に示すように、前後方向（図１の矢印Ｘ−Ｘ方向）の側壁４ａと左右方向（図１の矢印Ｙ−Ｙ方向）の側壁４ｂと上壁部５を有し、これらが陶磁器により一体的に成形され、前後の側壁４ａと左右の側壁４ｂによって四方を囲み、その内側には下方が開口された内部空間Ａを形成している。前記前後の側壁４ａと左右の側壁４ｂは下方に向って外側に傾斜しており、座台部２は下方が拡がる台形形状に成形されて安定して着座できるようになっている。また、前後の側壁４ａと左右の側壁４ｂの高さは、該椅子１を浴槽に入れて図７に示すように着座した場合に、入浴者の、みぞおちあたりまでお湯につかるよう、風呂場の洗場で使用される通常の椅子の脚よりも若干低く設定されている。
【００２２】
座台部２の上端部、すなわち、前後の側壁４ａと左右の側壁４ｂの上端部における中央には、人の指が入る程度に上下幅と横幅を有する空気抜き孔６が内外方向に貫通して開口している。この空気抜き孔６は浴槽内に半身浴用椅子１を沈めた際に、内部空間Ａ内の空気を座台部２の外部へ排出すると共に、この空気抜き孔６に指を挿入することによって把手部となり、半身浴用椅子１を持ち運びし易くしている。
【００２３】
座台部２の上壁部５は、図４及び図５に示すように、中央部に上下方向に貫通する大きな穴５ａを形成して、側壁４ａ，４ｂの上端内周面から座台部２の内側に向って若干突出するように形成されている。前記上壁部５における四隅にはボルト挿通孔５ｂが上下方向に貫通形成されており、該ボルト挿通孔５ｂに、図４に示すように、座台部２と座部３とを連結するボルト１８が挿通されるようになっている。
【００２４】
また、図６に示すように、前後、左右の側壁４ａ，４ｂの四隅には、底面から見てＬ字型に形成された脚部７が下方に向って一体に突設されている。該脚部７には、図６に示すように、内外方向に貫通し、かつ、下方が開口した逆台形の切欠溝７ａが、Ｌ字型の角部を中心として左右双方の壁に刻設されており、この切欠溝７ａには、該切欠溝７ａと同形の栓部材８が接着剤により、図４に示すように、固着されている。
【００２５】
前記切欠溝７ａと栓部材８の形状は、相互に嵌合できる形状であればよいが、本実施例では下辺より上辺が長い逆台形に形成されている。
【００２６】
該切欠溝７ａは型成形で外側から見て方形に成形した後、切欠溝７ａの左右面を逆台形状に切削して形成され、これに同形の栓部材８を側面から圧嵌して、上面と左右面を接着する。これにより、栓部材８の下方への移動が規制されると共に、切欠溝７ａと栓部材８が接着されて強度が高められ、栓部材８の脱離が防止される。
【００２７】
なお、前記栓部材８は後述する締結部材９を締結できる部材であればよく本実施例では木栓を使用し、後述する締結部材９にはビス又は釘を使用している。
【００２８】
前記脚部７には、脚部７の外側面と下面とを覆うＬ字状の滑り止め部材１０が配設されており、該滑り止め部材１０は弾性材料、例えばゴム材で形成されている。該滑り止め部材１０は、ビスからなる締結部材９を滑り止め部材１０に挿通して前記栓部材８へ螺挿することによって、滑り止め部材１０を栓部材８に強固に固設している。
【００２９】
前記のように締結部材９を締結できる栓部材８を、前記のような切欠溝７ａを形成して装着した理由として、座台部２（陶磁器）に内外方向のみに開口する横穴を開けて、これに柱状の栓を圧嵌し、これに締結部材９を締結する方法が考えられるが、座台部２（陶磁器）に横穴を開けることは、型成形時の脱型を考慮すると技術的に困難であり、また形成費用もかさむ問題があるからである。
【００３０】
次に、座部３について説明する。
座部３は耐水性を有する部材で畳に模して形成されている。
【００３１】
座部３は、図２及び図５に示すように、その周面が座台部２の底面積よりも広い面積を有する長方形の芯材１１を備え、該芯材１１は耐水加工（例えば樹脂加工）を施した木製の板材を使用している。芯材１１の上面には、発砲プラスチック板１２、好ましくは、発砲ポリスチレン板が接着剤により固着され、該発砲プラスチック板１２は芯材１１と略同形で、芯材１１よりも柔らかく形成されている。
【００３２】
芯材１１と発砲プラスチック板１２の四隅には、図４に示すように、挿通孔１１ａと嵌入孔１２ａが連通して開けられており、挿通孔１１ａより大径に形成された嵌入孔１２ａからボルト１８を挿入し、ボルト１８の頭部を嵌入孔１２ａに嵌入することによって、発砲プラスチック板１２内にボルト１８の頭部を埋設すると共に、ボルト１８の頭部を芯材１１の上面に当接している。また、ボルト１８の上部の嵌入孔１２には樹脂材１４を充填して、嵌入孔１２ａを密封すると共に、嵌入孔１２ａ部の上面を樹脂材１４によって発砲プラスチック板１２の上面と面一にしている。
【００３３】
前記発砲プラスチック板１２の上面には、プラスチック製人工い草１３ａで形成された畳表１３が、発砲プラスチック板１２の上面全体にを被覆するように配設され、かつ、人工い草の網目方向が座部３の長手方向と平行に位置している。更に、前記畳表１３における短手方向（前後方向Ｘ−Ｘ）側の両端部は、芯材１１の裏面に巻回するように収められている。なお、プラスチック製人工い草１３ａは、非吸水性を有するものを用い、本実施例ではプラスチックにより中実に形成された線材を用いている。
【００３４】
座部３の長手方向（左右方向Ｙ−Ｙ）側の両縁部には、図１に示すように、畳縁１５がその両縁部の全長に亘って配設され、該畳縁１５は、合成繊維からなる布帛を用いている。
【００３５】
畳縁１５の取り付け方法は、まず、畳縁１５を裏返した状態で、畳表１３の縁部に結合する。
【００３６】
次に、図示しない、塩化ビニール製の押さえ板を前記の固着した畳縁１５の上面に配置し、その上部から釘で畳縁１５と押さえ板を芯材１１に固着する。
【００３７】
次に、畳縁１５を押さえ板の端から外側へ折り返して、発砲プラスチック板１２と芯材１１の側部を覆い、畳縁１５の他方の側部を芯材１１の裏面に両面テープなどで固着した後、その他方の端部の下面に押さえ板を当て、その下側から釘で畳縁１５と押さえ板を芯材１１に固着する。
【００３８】
芯材１１の下面には、ポリエチレン製の布１６が芯材１１の下面の略全域に亘って、かつ、畳縁１５の下面を覆うように接着剤により固着されている。
【００３９】
前記のように構成した座部３を、前記のように、座部３から下方へ突出したボルト１８を上壁部５に形成したボルト挿通孔５ｂに挿通して上壁部５上に載置する。そして、図４に示すように、前記ボルト１８の下端にナット１９を螺挿して、座部３を座台部２に固定し、半身浴用椅子１が構成される。
【００４０】
このように構成した半身浴用椅子１を、図７に示すように、浴槽２０内の端に沈め、この半身浴用椅子１の上に使用者が座ることによって、身体の、みぞおちあたりまでお湯につかり、リラックスした姿勢で半身浴をすることができる。
【００４１】
以上のことから、本発明の半身浴用椅子１は、座台部２を比重が大きい陶磁器で形成したことにより、従来のような重り部材を付設することなく、湯中に沈ませることができ、従来のような重り部材を付設するものと比べて、比重を大きくし、かつ、容易に製造することができる。また、座台部２は陶磁器で、座部３は耐水性を有する部材で形成されていることから、木製に比べて湯中に長時間浸したり、乾燥させたりしても劣化が少ない。また、座台部２は陶磁器であることから洗浄も容易である。
【００４２】
また、座台部２の側壁を一連の４方壁で形成するとともに台形形状に形成したことから、上方からの荷重に対する強度が高く、座台部２の素材をそれほど肉厚にする必要がない。
【００４３】
また、座台部２の脚部７の下面にゴム材などの弾性材からなる滑り止め部材１０を装着したので、該半身浴用椅子１が浴槽内で滑ったりすることがなく、より安定した状態で使用することができる。また、滑り止め部材１０は木栓による締結部材９によって脚部７に装着されていることから、該滑り止め部材１０を強固に座台部２に固設でき、浴槽内の使用においても脱落することがない。
【００４４】
更に、座台部２の上面には、座台部２の底面積よりも広い発砲プラスチック板等で構成された座部３を備え、脚部７には弾性材からなる滑り止め部材１０を備えたことから、座部３の外端部と滑り止め部材１０の外側面を結ぶ線より内側に座台部２が位置するため、落下や移動等による衝撃から座台部２を保護し破損することを防止できる。
【００４５】
また、座台部２を陶磁器で、座部３を人工い草による畳で構成したことから和風的で興趣が高く、座面の感触が良好となる。更に、座部３に発砲プラスチック板を備え、座台部３に弾性を有する滑り止め部材１０を備えているため、クッション性を有し座り心地が良く、長時間かけてお湯につかっても疲れることが少ない。
【００４６】
なお、本発明の半身浴用椅子１を図７に示すように浴槽中に置くことにより、これを浴槽内に出入りする際の踏み台として使用し、入浴者の出入りを容易にすることができ、高齢者の使用に対してより安全で有効である。また、この半身浴用椅子１を浴槽内から出して洗い場で使用することもできる。
【実施例２】
【００４７】
なお、前記座部３を陶磁器、プラスチック又は耐水処理をした木材で形成してもよい。この木材の耐水処理としては、樹脂や柿の渋を木材に含浸させたり、樹脂を木材の表面にコーティングしてもよい。
【００４８】
すなわち、前記実施例１の座部３と同寸法に形成された陶磁器の板又はプラスチック板又は耐水処理をした木材の板を座台部２の上面に配置するとともに、その四隅に前記のボルト１８の頭部が嵌入できる大径部を備えた挿通孔を開け、この挿通孔からボルト１８を挿入して、前記大径部にボルト１８の頭部を埋設し、ボルト１８の上部の挿通孔に樹脂材１４を充填して挿通孔を密閉する。
【００４９】
前記のように構成した座部と、台座部２とを実施例１と同様の方法で連結し、半身浴用椅子１を構成する。
【００５０】
本実施例２においても、実施例１と同様の効果を発揮することができる。
【実施例３】
【００５１】
前記実施例２の座部の表面をプラスチック製人工い草で被覆してもよい。
【図面の簡単な説明】
【００５２】
【図１】本発明の半身浴用椅子を示す斜視図。
【図２】図１の正断面図。
【図３】図１の側断面図。
【図４】半身浴用椅子の座部と座台部との接合部を示す拡大断面図。
【図５】図１の底面図。
【図６】半身浴用椅子の脚部に付設する栓部材と滑り止め部材を示す斜視図。
【図７】本発明の半身浴用椅子の使用状態を示す図。
【図８】従来の椅子を示す下方から見た斜視図。
【符号の説明】
【００５３】
１    半身浴用椅子
２    座台部
３    座部
４ａ，４ｂ  側壁
６    空気抜き穴
７    脚部
８    栓部材
１０  滑り止め部材
１３  畳表
【図１】
2008212530.tif 000003
【図２】
2008212530.tif 000004
【図３】
2008212530.tif 000005
【図４】
2008212530.tif 000006
【図５】
2008212530.tif 000007
【図６】
2008212530.tif 000008
【図７】
2008212530.tif 000009
【図８】
2008212530.tif 000010